(57)【特許請求の範囲】
【請求項１】
所定の電気信号を契機としてドアを施錠又は開錠するドアロック機構と、
前記ドアの施錠・開錠の状態によって自身の動作が制御され、電界を電界伝達媒体に誘起して電界通信を行うことが可能な導電性の外側ノブ及び内側ノブと、
前記外側ノブと連動して回転し、前記ドアロック機構のラッチの出入りを制御する制御用穴に挿入された外側ノブ用スピンドルと、
前記内側ノブと連動して回転し、前記制御用穴に挿入された内側ノブ用スピンドルと、
前記外側ノブを支持する導電性の支持台に取り付けられ、当該支持台を前記ドアロック機構に固定する固定用穴に挿入された導電性の固定用軸と、
前記ドアロック機構を間に挟むように前記外側ノブの支持台に対向配置され、導電性のネジを前記固定用軸の先端部に掘られたネジ穴に通す穴が形成された導電性の固定用軸受プレートと、
前記内側ノブを支持する導電性の支持台に取り付けられ、前記固定用軸受プレートに形成された内側ノブ固定受部に連結することで当該支持台を前記ドアロック機構に固定する導電性の内側ノブ固定部と、
前記外側ノブの支持台及び前記ドアロック機構の間と、前記外側ノブ用スピンドル及び前記制御用穴の間と、前記固定用軸及び前記固定用穴の間と、前記ドアロック機構及び前記固定用軸受プレートの間と、前記内側ノブの支持台及び前記固定用軸受プレートの間と、前記内側ノブ用スピンドル及び前記制御用穴の間とに夫々挿入され、前記外側ノブ又は前記内側ノブを介して伝達された電界が前記ドアロック機構に放出することを防止する複数の絶縁部材と、
前記固定用軸受プレートに電気的に接続され、電極から電界を電界伝達媒体に誘起して電界通信を行うことが可能な人体用電界通信装置を所持する人間が前記外側ノブ又は前記内側ノブに接触することにより、前記外側ノブ又は前記内側ノブを介して伝達されて送信されてくる電気信号を受信するドア用電界通信装置と、
を有することを特徴とする電界通信用ドアノブ。
【請求項２】
所定の電気信号を契機としてドアを施錠又は開錠するドアロック機構と、
前記ドアの施錠・開錠の状態によって自身の動作が制御され、電界を電界伝達媒体に誘起して電界通信を行うことが可能な導電性の外側ノブ及び内側ノブと、
前記外側ノブと連動して回転し、前記ドアロック機構のラッチの出入りを制御する制御用穴に挿入された外側ノブ用スピンドルと、
前記内側ノブと連動して回転し、前記制御用穴に挿入された内側ノブ用スピンドルと、
前記外側ノブを支持する導電性の支持台に取り付けられ、当該支持台を前記ドアロック機構に固定する固定用穴に挿入された導電性の固定用軸と、
前記ドアロック機構を間に挟むように前記外側ノブの支持台に対向配置され、導電性のネジを前記固定用軸の先端部に掘られたネジ穴に通す穴が形成された導電性の固定用軸受プレートと、
前記内側ノブを支持する導電性の支持台に取り付けられ、前記固定用軸受プレートに形成された内側ノブ固定受部に連結することで当該支持台を前記ドアロック機構に固定する絶縁性の内側ノブ固定部と、
前記外側ノブの支持台及び前記ドアロック機構の間と、前記外側ノブ用スピンドル及び前記制御用穴の間と、前記固定用軸及び前記固定用穴の間と、前記ドアロック機構及び前記固定用軸受プレートの間と、前記内側ノブの支持台及び前記固定用軸受プレートの間と、前記内側ノブ用スピンドル及び前記制御用穴の間とに夫々挿入され、前記外側ノブ又は前記内側ノブを介して伝達された電界が前記ドアロック機構に放出することを防止する複数の絶縁部材と、
前記固定用軸受プレート及び前記内側ノブの支持台に電気的に夫々接続され、電極から電界を電界伝達媒体に誘起して電界通信を行うことが可能な人体用電界通信装置を所持する人間が前記外側ノブに接触することにより、前記外側ノブと当該固定用軸受プレートとを介して伝達されて送信されてくる電気信号、及び／又は、前記人間が前記内側ノブに接触することにより、前記内側ノブと当該内側ノブの支持台とを介して伝達されて送信されてくる電気信号を夫々受信するドア用電界通信装置と、
を有することを特徴とする電界通信用ドアノブ。
【請求項３】
前記ドア用電界通信装置は、
前記外側ノブを介して送信された前記電気信号の入力と、前記内側ノブを介して送信された前記電気信号の入力とを交互に切り替える入力切替手段と、
２つの前記電気信号のうちいずれかが入力された場合に、前記外側ノブ又は前記内側ノブを介して電気信号が送信されてきたこと示す検出信号を出力する信号検出手段と、
前記検出信号が入力された場合に、電気信号の入力の切り替えを固定する入力切替固定信号を前記入力切替手段に送信する制御手段と、
を更に有することを特徴とする請求項２に記載の電界通信用ドアノブ。
【請求項４】
前記ドア用電界通信装置は、
前記外側ノブを介して送信された前記電気信号が入力された場合に、当該外側ノブを介して電気信号が送信されてきたことを示す検出信号を出力する外側ノブ用の信号検出手段と、
前記内側ノブを介して送信された前記電気信号が入力された場合に、当該内側ノブを介して電気信号が送信されてきたことを示す検出信号を出力する内側ノブ用の信号検出手段と、
前記外側ノブ用の信号検出手段から出力された検出信号と、前記内側ノブ用の信号検出手段から出力された検出信号とが異なるタイミングで入力された場合に、より早いタイミングで入力された検出信号を出力した信号検出手段に入力を切り替えると共に、切り替えた信号検出手段に前記電気信号を伝達したノブが外側又は内側であるかを判別する判別信号を出力し、前記各検出信号が同じタイミングで入力された場合に、前記各検出手段に前記電気信号を伝達したノブが外側及び内側であることを示す混信信号を出力する入力切替手段と、
を更に有することを特徴とする請求項２に記載の電界通信用ドアノブ。
【請求項５】
前記ドア用電界通信装置は、
前記固定用軸受プレート及び前記外側ノブの信号検出手段の間に接続され、送信及び受信を切り替える外側ノブ用の送受切替スイッチと、
前記内側ノブの支持台及び前記内側ノブの信号検出手段の間に接続され、送信及び受信を切り替える内側ノブ用の送受切替スイッチと、
前記入力切替手段から出力された前記混信信号が入力された場合に、前記外側ノブ用の送受切替スイッチ及び前記内側ノブ用の送受切替スイッチを送信側に切り替える送受切替信号を出力すると共に、混信したことを通知する混信データを出力する制御手段と、
前記外側ノブ用の送受切替スイッチ及び前記内側ノブ用の送受切替スイッチを介して、前記混信データを前記外側ノブ及び前記内側ノブに夫々伝達する送信手段と、
を更に有することを特徴とする請求項４に記載の電界通信用ドアノブ。
【請求項６】
前記固定用軸受プレート及び前記ドア用電界通信装置の間に接続され、前記外側ノブを介して伝達された前記電気信号の周波数が人間に帯電した静電気の信号周波数と同じ場合に、当該電気信号を前記ドアロック機構に放電する放電手段を更に有することを特徴とする請求項１乃至５のいずれか１項に記載の電界通信用ドアノブ。
【請求項７】
前記内側ノブの支持台及び前記ドア用電界通信装置の間に接続され、前記内側ノブを介して伝達された前記電気信号の周波数が人間に帯電した静電気の信号周波数と同じ場合に、当該電気信号を前記ドアロック機構に放電する放電手段を更に有することを特徴とする請求項２乃至６のいずれか１項に記載の電界通信用ドアノブ。
【請求項８】
前記固定用軸受プレート及び前記ドアロック機構の間で前記ドア用電界通信装置に並列接続され、前記外側ノブを介して伝達された前記電気信号の周波数が、所定の閾値よりも小さい場合に低インピーダンスとして作用し、当該閾値よりも大きい場合に高インピーダンスとして作用する静電気放電用インピーダンスを更に有することを特徴とする請求項１乃至５のいずれか１項に記載の電界通信用ドアノブ。
【請求項９】
前記内側ノブの支持台及び前記ドアロック機構の間で前記ドア用電界通信装置に並列接続され、前記内側ノブを介して伝達された前記電気信号の周波数が、所定の閾値よりも小さい場合に低インピーダンスとして作用し、当該閾値よりも大きい場合に高インピーダンスとして作用する静電気放電用インピーダンスを更に有することを特徴とする請求項２乃至６のいずれか１項に記載の電界通信用ドアノブ。
【発明の詳細な説明】
【技術分野】
【０００１】
本発明は、電界を電界伝達媒体に誘起して電界通信を行うことが可能な電界通信装置を備えた電界通信用ドアノブの技術に関する。
【背景技術】
【０００２】
従来、電界を伝達する電界伝達媒体に対して送信すべきデータに基づく電界を誘起させ、また電界伝達媒体に誘起された電界を検出してデータ通信を行う電界通信装置が提案されている（特許文献１参照）。
【０００３】
そして、このような電界通信装置を構成する電極として導電性のドアノブを利用し、該ドアノブに触れることにより、人間が所持する人体用電界通信装置から送信されたＩＤデータを認証用装置に送信することで、セキュリティの必要性が求められる部屋の入り口に据付されたドアのドアロック機構（電気錠）を開錠・施錠を行うことが可能となっている。
【特許文献１】特開２００３−３２４３９５公報
【発明の開示】
【発明が解決しようとする課題】
【０００４】
しかしながら、ドアノブに伝達された電気信号が、アースとして作用するドアロック機構やドアに放出されるため、人体用電界通信装置から出力されるデータが該データを受信するドア用電界通信装置や該ドア用電界通信装置の後段に配置された認証用装置に送信されないという問題があった。
【０００５】
本発明は、上記に鑑みてなされたものであり、人体用電界通信装置から出力されたデータを確実にドア用電界通信装置に送信する電界通信用ドアノブを提供することを課題とする。
【課題を解決するための手段】
【０００６】
請求項１に記載の本発明は、所定の電気信号を契機としてドアを施錠又は開錠するドアロック機構と、前記ドアの施錠・開錠の状態によって自身の動作が制御され、電界を電界伝達媒体に誘起して電界通信を行うことが可能な導電性の外側ノブ及び内側ノブと、前記外側ノブと連動して回転し、前記ドアロック機構のラッチの出入りを制御する制御用穴に挿入された外側ノブ用スピンドルと、前記内側ノブと連動して回転し、前記制御用穴に挿入された内側ノブ用スピンドルと、前記外側ノブを支持する導電性の支持台に取り付けられ、当該支持台を前記ドアロック機構に固定する固定用穴に挿入された導電性の固定用軸と、前記ドアロック機構を間に挟むように前記外側ノブの支持台に対向配置され、導電性のネジを前記固定用軸の先端部に掘られたネジ穴に通す穴が形成された導電性の固定用軸受プレートと、前記内側ノブを支持する導電性の支持台に取り付けられ、前記固定用軸受プレートに形成された内側ノブ固定受部に連結することで当該支持台を前記ドアロック機構に固定する導電性の内側ノブ固定部と、前記外側ノブの支持台及び前記ドアロック機構の間と、前記外側ノブ用スピンドル及び前記制御用穴の間と、前記固定用軸及び前記固定用穴の間と、前記ドアロック機構及び前記固定用軸受プレートの間と、前記内側ノブの支持台及び前記固定用軸受プレートの間と、前記内側ノブ用スピンドル及び前記制御用穴の間とに夫々挿入され、前記外側ノブ又は前記内側ノブを介して伝達された電界が前記ドアロック機構に放出することを防止する複数の絶縁部材と、前記固定用軸受プレートに電気的に接続され、電極から電界を電界伝達媒体に誘起して電界通信を行うことが可能な人体用電界通信装置を所持する人間が前記外側ノブ又は前記内側ノブに接触することにより、前記外側ノブ又は前記内側ノブを介して伝達されて送信されてくる電気信号を受信するドア用電界通信装置と、を有することを要旨とする。
【０００７】
本発明にあっては、外側ノブの支持台及びドアロック機構の間と、外側ノブ用スピンドル及び制御用穴の間と、固定用軸及び固定用穴の間と、ドアロック機構及び固定用軸受プレートの間と、内側ノブの支持台及び固定用軸受プレートの間と、内側ノブ用スピンドル及び制御用穴の間とに絶縁部材を夫々挿入するため、外側ノブ及び／又は内側ノブを介して人体用電界通信装置から送信されてくる電気信号が、ドアロック機構に放出することを防止することが可能となり、人体用電界通信装置から出力されたデータを確実にドア用電界通信装置に送信する電界通信用ドアノブを提供することができる。
【０００８】
請求項２に記載の本発明は、所定の電気信号を契機としてドアを施錠又は開錠するドアロック機構と、前記ドアの施錠・開錠の状態によって自身の動作が制御され、電界を電界伝達媒体に誘起して電界通信を行うことが可能な導電性の外側ノブ及び内側ノブと、前記外側ノブと連動して回転し、前記ドアロック機構のラッチの出入りを制御する制御用穴に挿入された外側ノブ用スピンドルと、前記内側ノブと連動して回転し、前記制御用穴に挿入された内側ノブ用スピンドルと、前記外側ノブを支持する導電性の支持台に取り付けられ、当該支持台を前記ドアロック機構に固定する固定用穴に挿入された導電性の固定用軸と、前記ドアロック機構を間に挟むように前記外側ノブの支持台に対向配置され、導電性のネジを前記固定用軸の先端部に掘られたネジ穴に通す穴が形成された導電性の固定用軸受プレートと、前記内側ノブを支持する導電性の支持台に取り付けられ、前記固定用軸受プレートに形成された内側ノブ固定受部に連結することで当該支持台を前記ドアロック機構に固定する絶縁性の内側ノブ固定部と、前記外側ノブの支持台及び前記ドアロック機構の間と、前記外側ノブ用スピンドル及び前記制御用穴の間と、前記固定用軸及び前記固定用穴の間と、前記ドアロック機構及び前記固定用軸受プレートの間と、前記内側ノブの支持台及び前記固定用軸受プレートの間と、前記内側ノブ用スピンドル及び前記制御用穴の間とに夫々挿入され、前記外側ノブ又は前記内側ノブを介して伝達された電界が前記ドアロック機構に放出することを防止する複数の絶縁部材と、前記固定用軸受プレート及び前記内側ノブの支持台に電気的に夫々接続され、電極から電界を電界伝達媒体に誘起して電界通信を行うことが可能な人体用電界通信装置を所持する人間が前記外側ノブに接触することにより、前記外側ノブと当該固定用軸受プレートとを介して伝達されて送信されてくる電気信号、及び／又は、前記人間が前記内側ノブに接触することにより、前記内側ノブと当該内側ノブの支持台とを介して伝達されて送信されてくる電気信号を夫々受信するドア用電界通信装置と、を有することを要旨とする。
【０００９】
本発明にあっては、外側ノブの支持台及びドアロック機構の間と、外側ノブ用スピンドル及び制御用穴の間と、固定用軸及び固定用穴の間と、ドアロック機構及び固定用軸受プレートの間と、内側ノブの支持台及び固定用軸受プレートの間と、内側ノブ用スピンドル及び制御用穴の間とに絶縁部材を夫々挿入するため、外側ノブ及び／又は内側ノブを介して人体用電界通信装置から送信されてくる電気信号が、ドアロック機構に放出することを防止することが可能となり、人体用電界通信装置から出力されたデータを確実にドア用電界通信装置に送信する電界通信用ドアノブを提供することができる。
【００１０】
本発明にあっては、内側ノブ固定部が絶縁性であって、ドア用電界通信装置が、固定用軸受プレート及び内側ノブの支持台に電気的に夫々接続され、電極から電界を電界伝達媒体に誘起して電界通信を行うことが可能な人体用電界通信装置を所持する人間が外側ノブに接触することにより、外側ノブと固定用軸受プレートとを介して伝達されて送信されてくる電気信号、及び／又は、このような人間が内側ノブに接触することにより、内側ノブと内側ノブの支持台とを介して伝達されて送信されてくる電気信号を夫々受信するため、この人体用電界通信装置を所持した人間がいずれのノブに接触したかの把握や、入室しようとしているか退出しているかの方向性を把握することができる。
【００１１】
請求項３に記載の本発明は、前記ドア用電界通信装置が、前記外側ノブを介して送信された前記電気信号の入力と、前記内側ノブを介して送信された前記電気信号の入力とを交互に切り替える入力切替手段と、２つの前記電気信号のうちいずれかが入力された場合に、前記外側ノブ又は前記内側ノブを介して電気信号が送信されてきたこと示す検出信号を出力する信号検出手段と、前記検出信号が入力された場合に、電気信号の入力の切り替えを固定する入力切替固定信号を前記入力切替手段に送信する制御手段と、を更に有することを要旨とする。
【００１２】
請求項４に記載の本発明は、前記ドア用電界通信装置が、前記外側ノブを介して送信された前記電気信号が入力された場合に、当該外側ノブを介して電気信号が送信されてきたことを示す検出信号を出力する外側ノブ用の信号検出手段と、前記内側ノブを介して送信された前記電気信号が入力された場合に、当該内側ノブを介して電気信号が送信されてきたことを示す検出信号を出力する内側ノブ用の信号検出手段と、前記外側ノブ用の信号検出手段から出力された検出信号と、前記内側ノブ用の信号検出手段から出力された検出信号とが異なるタイミングで入力された場合に、より早いタイミングで入力された検出信号を出力した信号検出手段に入力を切り替えると共に、切り替えた信号検出手段に前記電気信号を伝達したノブが外側又は内側であるかを判別する判別信号を出力し、前記各検出信号が同じタイミングで入力された場合に、前記各検出手段に前記電気信号を伝達したノブが外側及び内側であることを示す混信信号を出力する入力切替手段と、を更に有することを要旨とする。
【００１３】
請求項５に記載の本発明は、前記ドア用電界通信装置が、前記固定用軸受プレート及び前記外側ノブの信号検出手段の間に接続され、送信及び受信を切り替える外側ノブ用の送受切替スイッチと、前記内側ノブの支持台及び前記内側ノブの信号検出手段の間に接続され、送信及び受信を切り替える内側ノブ用の送受切替スイッチと、前記入力切替手段から出力された前記混信信号が入力された場合に、前記外側ノブ用の送受切替スイッチ及び前記内側ノブ用の送受切替スイッチを送信側に切り替える送受切替信号を出力すると共に、混信したことを通知する混信データを出力する制御手段と、前記外側ノブ用の送受切替スイッチ及び前記内側ノブ用の送受切替スイッチを介して、前記混信データを前記外側ノブ及び前記内側ノブに夫々伝達する送信手段と、を更に有することを要旨とする。
【００１４】
請求項６に記載の本発明は、前記固定用軸受プレート及び前記ドア用電界通信装置の間に接続され、前記外側ノブを介して伝達された前記電気信号の周波数が人間に帯電した静電気の信号周波数と同じ場合に、当該電気信号を前記ドアロック機構に放電する放電手段を更に有することを要旨とする。
【００１５】
本発明にあっては、外側ノブを介して伝達された電気信号の周波数が人間に帯電した静電気の信号周波数と同じ場合に、電気信号をドアロック機構に放電する放電手段を更に有するため、静電気信号の入力によりドア用電界通信装置の誤作動や破壊を防止することができる。
【００１６】
請求項７に記載の本発明は、前記内側ノブの支持台及び前記ドア用電界通信装置の間に接続され、前記内側ノブを介して伝達された前記電気信号の周波数が人間に帯電した静電気の信号周波数と同じ場合に、当該電気信号を前記ドアロック機構に放電する放電手段を更に有することを要旨とする。
【００１７】
本発明にあっては、内側ノブを介して伝達された電気信号の周波数が人間に帯電した静電気の信号周波数と同じ場合に、電気信号をドアロック機構に放電する放電手段を更に有するため、静電気信号の入力によりドア用電界通信装置の誤作動や破壊を防止することができる。
【００１８】
請求項８に記載の本発明は、前記固定用軸受プレート及び前記ドアロック機構の間で前記ドア用電界通信装置に並列接続され、前記外側ノブを介して伝達された前記電気信号の周波数が、所定の閾値よりも小さい場合に低インピーダンスとして作用し、当該閾値よりも大きい場合に高インピーダンスとして作用する静電気放電用インピーダンスを更に有することを要旨とする。
【００１９】
本発明にあっては、外側ノブを介して伝達された電気信号の周波数が、所定の閾値よりも小さい場合に低インピーダンスとして作用し、当該閾値よりも大きい場合に高インピーダンスとして作用する静電気放電用インピーダンスを固定用軸受プレート及びドアロック機構の間でドア用電界通信装置に並列接続するため、静電気信号の入力によりドア用電界通信装置の誤作動や破壊を防止することができる。
【００２０】
請求項９に記載の本発明は、前記内側ノブの支持台及び前記ドアロック機構の間で前記ドア用電界通信装置に並列接続され、前記内側ノブを介して伝達された前記電気信号の周波数が、所定の閾値よりも小さい場合に低インピーダンスとして作用し、当該閾値よりも大きい場合に高インピーダンスとして作用する静電気放電用インピーダンスを更に有することを要旨とする。
【００２１】
本発明にあっては、内側ノブを介して伝達された電気信号の周波数が、所定の閾値よりも小さい場合に低インピーダンスとして作用し、当該閾値よりも大きい場合に高インピーダンスとして作用する静電気放電用インピーダンスを内側ノブの支持台及びドアロック機構の間でドア用電界通信装置に並列接続するため、静電気信号の入力によりドア用電界通信装置の誤作動や破壊を防止することができる。
【発明の効果】
【００２２】
本発明によれば、人体用電界通信装置から出力されたデータを確実にドア用電界通信装置に送信する電界通信用ドアノブを提供することができる。
【発明を実施するための最良の形態】
【００２３】
以下、本発明の実施の形態について図面を用いて説明する。
【００２４】
〔第１の実施の形態〕
図１は、第１の実施の形態に係る電界通信用ドアノブの全体構成を示す斜視図である。図２は、図１に示す電界通信用ドアノブの上面を示す上面図である。なお、図２に示す電界通信用ドアノブは、絶縁用の各種絶縁部材がドアノブを構成する各構成部分のうち絶縁を行うに適する各構成部分に夫々挿入等された状態で記載されている。
【００２５】
第１の実施の形態に係る電界通信用ドアノブは、ドアロック機構８と、外側ノブ１及び内側ノブ２１と、外側ノブ用スピンドル４と、内側ノブ用スピンドル１９と、固定用軸３ａ，３ｂと、固定用軸受プレート１４と、内側ノブ固定部２２と、外側ノブ１用の絶縁シート７と、固定用軸受プレート１４用の絶縁シート１３と、内側ノブ２１用の絶縁シート１７と、固定用軸３ａ，３ｂ用の絶縁部材５ａ，５ｂと、外側ノブ用スピンドル４用の絶縁部材６と、内側ノブ用スピンドル１９用の絶縁部材１８と、ドア用電界通信装置１００とを備えた構成である。
【００２６】
ドアロック機構８は、ドア用電界通信装置１００から送信されてくる開閉用の電気信号を契機として、ドアロック機構８により開閉が制御されるドア（図示せず）を施錠・開錠することが可能となっている。具体的には、ドアを開けることを示す開電気信号が送信された場合には、ドアロック機構８の側面に出入り可能に形成されたデッドボルト１０をドアロック機構８の内部に入る方向に制御し、ドアを閉めることを示す閉電気信号が送信された場合には、デッドボルト１０をドアロック機構８の外部に出る方向に制御する。また、このドアロック機構８には、外側ノブ用スピンドル４及び内側ノブ用スピンドル１９が挿入される制御用穴１２と、固定用軸３ａ，３ｂが夫々挿入される固定用穴１１ａ，１１ｂとが形成されており、制御用穴１２に挿入された各スピンドルの回転動作に応じて、デッドボルトの上段に具備されたラッチ９の出入りを制御することが可能となっている。
【００２７】
外側ノブ１及び内側ノブ２１は、ドアの施錠・開錠の状態によって自身の動作が制御され、電界を電界伝達媒体に誘起して電界通信を行うことが可能となっている。具体的には、電極から電界を電界伝達媒体に誘起して電界通信を行うことが可能な人体用電界通信装置を所持した人間が外側ノブ１又は内側ノブ２１に接触した場合に、人体を介して人体用電界通信装置から伝達されて送信されてくる電気信号を受信し、ドア用電界通信装置１００に送信することができる。
【００２８】
外側ノブ用スピンドル４は、外側ノブ１と連動して回転し、ドアロック機構８のラッチ９の出入りを制御する制御用穴１２に挿入されている。同様に、内側ノブ用スピンドル１９は、内側ノブ２１と連動して回転し、同じ制御用穴１２に挿入されている。
【００２９】
固定用軸３ａ，３ｂは、導電性の部材で形成され、外側ノブ１を支持する導電性の支持台２に取り付けられ、支持台２をドアロック機構８に固定する固定用穴１１ａ，１１ｂに夫々挿入されている。
【００３０】
固定用軸受プレート１４は、導電性の部材で形成され、ドアロック機構８を間に挟むように外側ノブ１の支持台２に対向配置され、導電性のネジ１６ａ，１６ｂを固定用軸３ａ，３ｂの先端部に掘られたネジ穴に通す穴が形成されている。
【００３１】
内側ノブ固定部２２は、導電性の部材で形成され、内側ノブ２１を支持する導電性の支持台２０に取り付けられ、固定用軸受プレート１４に形成された内側ノブ固定受部１５に連結することで支持台２０をドアロック機構８に固定することが可能となっている。
【００３２】
外側ノブ１用の絶縁シート７は、外側ノブ１を支持する支持台２とドアロック機構８との間に挿入され、外側ノブ１と支持台２とを介して伝達された電界がドアロック機構８やドアに放出されることを防止する。
【００３３】
固定用軸受プレート１４用の絶縁シート１３は、固定用軸受プレート１４とドアロック機構８との間に挿入され、内側ノブ２１と支持台２０と内側ノブ固定部２２と固定用軸受プレート１４とを介して伝達された電界がドアロック機構８やドアに放出されることを防止する。
【００３４】
内側ノブ２１用の絶縁シート１７は、内側ノブ２１を支持する支持台２０と固定用軸受プレート１４との間に挿入され、内側ノブ２１と支持台２０とを介して伝達された電界がドアロック機構８やドアに放出されることを防止する。
【００３５】
固定用軸３ａ，３ｂ用の絶縁部材５ａ，５ｂは、固定用軸３ａ，３ｂと固定用穴１１ａ，１１ｂとの間に挿入され、外側ノブ１と支持台２と固定用軸３ａ，３ｂとを介して伝達された電界が、固定用軸３ａ，３ｂの各長手方向側面からドアロック機構８に放出されることを防止する。
【００３６】
外側ノブ用スピンドル４用の絶縁部材６は、外側ノブ用スピンドル４と制御用穴１２との間に挿入され、外側ノブ１と支持台２と外側ノブ用スピンドル４とを介して伝達された電界が、外側ノブ用スピンドル４の長手方向側面からドアロック機構８に放出されることを防止する。
【００３７】
内側ノブ用スピンドル１９用の絶縁部材１８は、内側ノブ用スピンドル１９と制御用穴１２との間に挿入され、内側ノブ２１と支持台２０と内側ノブ用スピンドル１９とを介して伝達された電界が、内側ノブ用スピンドル１９の長手方向側面からドアロック機構８に放出されることを防止する。
【００３８】
ドア用電界通信装置１００は、固定用軸受プレート１４に電気的に接続され、前述の人体用電界通信装置を所持する人間が外側ノブ１に接触することにより、外側ノブ１と支持台２と固定用軸３ａ，３ｂと固定用軸受プレート１４とを介して伝達されて送信されてくる電気信号や、同人間が内側ノブ２１に接触することにより、内側ノブ２１と支持台２０と内側ノブ固定部２２と固定用軸受プレート１４とを介して伝達されて送信されてくる電気信号を受信することができる。
【００３９】
図３は、第１の実施の形態に係るドア用電界通信装置の機能ブロックを示す機能ブロック図である。このドア用電界通信装置１００は、電界検出光学部４５と、増幅・フィルタ部５１と、復調・信号検出部５２と、ドアロック機構制御部５４とを備えた構成である。
【００４０】
電界検出光学部４５は、外側ノブ１又は内側ノブ２１で受信した電界が供給され、電界光学手法を利用した電界検出光学部４５内で別途発生するレーザ光を偏光変化させ、この偏光変化したレーザ光を電気信号に変換する。増幅・フィルタ部５１は、変換された電気信号を所望の大きさに増幅し、帯域制限により不要な雑音を除去する。復調・信号検出部５２は、増幅・フィルタ部５１から出力された電気信号に対して波形整形等の信号処理を行った後に送信データに復調する。そして、この送信データは後段に設置された認証装置に送信される。
【００４１】
一方、ドアロック機構制御部５４は、上記認証装置から開閉用の電気信号が送信された場合に、この電気信号をドアロック機構８に送信することでドアの開錠・施錠を制御する。
【００４２】
本実施の形態によれば、外側ノブ１の支持台２及びドアロック機構８の間に絶縁シート７を挿入し、外側ノブ用スピンドル４及び制御用穴１２の間に絶縁部材６を挿入し、固定用軸３ａ，３ｂ及び固定用穴１１ａ，１１ｂの間に絶縁部材５ａ，５ｂを夫々挿入し、ドアロック機構８及び固定用軸受プレート１４の間に絶縁シート１３を挿入し、内側ノブ２１の支持台２０及び固定用軸受プレート１４の間に絶縁シート１７を挿入し、内側ノブ用スピンドル１９及び制御用穴１２の間に絶縁部材１８を挿入するので、外側ノブ１及び／又は内側ノブ２１を介して人体用電界通信装置から送信されてくる電気信号が、ドアロック機構８やドアに放出することを防止することが可能となり、人体用電界通信装置から出力された送信データを確実にドア用電界通信装置１００に送信する電界通信用ドアノブを提供することができる。
【００４３】
〔第２の実施の形態〕
図４は、第２の実施の形態に係る電界通信用ドアノブの上面を示す上面図である。この電界通信用ドアノブは、第１の実施の形態で説明した導電性の内側ノブ固定部２２に代えて、絶縁性の内側ノブ固定部２２を用いる点と、ドア用電界通信装置１００が、内側ノブ２１の支持台２０に電気的に更に接続されている点が異なっている。その他の構成や各機能については、第１の実施の形態で説明したものと同様なので、ここでは重複的な説明は省略する。
【００４４】
本実施の形態に係る内側ノブ固定部２２は、絶縁性の部材で形成されているので、内側ノブ２１を介して伝達された電気信号が固定用軸受プレート１４に伝達されることを防ぐ作用を備えている。
【００４５】
本実施の形態に係るドア用電界通信装置１００は、固定用軸受プレート１４及び内側ノブ２１の支持台２０に電気的に夫々接続され、第１の実施の形態で説明した人体用電界通信装置を所持する人間が外側ノブ１に接触することにより、外側ノブ１と支持台２と固定用軸３ａ，３ｂと固定用軸受プレート１４とを介して伝達されて送信されてくる電気信号、及び／又は、上記人間が内側ノブ２１に接触することにより、内側ノブ２１と支持台２０とを介して伝達されて送信されてくる電気信号を夫々受信することができる。
【００４６】
即ち、第１の実施の形態と異なり、内側ノブ固定部２２が絶縁性であって、ドア用電界通信装置が固定用軸受プレート及び内側ノブの支持台に電気的に夫々接続されているので、上記人体用電界通信装置を所持した人間がいずれのノブに接触したかの把握や、入室しようとしているか退出しているかの方向性を把握することができる。以下、本実施の形態に係るドア用電界通信装置が備える各機能について説明する。
【００４７】
図５は、第２の実施の形態に係るドア用電界通信装置の機能ブロック（第１実施例）を示す機能ブロック図である。このドア用電界通信装置は、入力切替部５０と、増幅・フィルタ部５１と、復調・信号検出部５２と、データ処理・制御部５３とを備えた構成である。なお、このドア用電界通信装置は、図３を用いて説明した電界検出光学部４５及びドアロック機構制御部５４を備えているが、ここでは各機能の説明や図示は省略するものとする。
【００４８】
入力切替部５０は、外側ノブ１を介して送信された電気信号の入力と、内側ノブ２１を介して送信された電気信号の入力とを所定の時間間隔で交互に切り替えるよう動作している。そして、増幅・フィルタ部５１は、入力された電気信号を所望の大きさに増幅し、帯域制限により不要な雑音を除去する。
【００４９】
次に、復調・信号検出部５２は、上記電気信号が入力された場合に、外側ノブ１又は内側ノブ２１を介して電気信号が送信されてきたこと示す検出信号を出力すると共に、入力した電気信号に対して波形整形等の信号処理を行った後に送信データに復調する。
【００５０】
その後、データ処理・制御部５３は、この検出信号及びデータが入力された場合に、電気信号の入力の切り替えを固定する入力切替固定信号を入力切替部５０に送信すると共に、送信データを認証装置に送信する。
【００５１】
最後に、入力切替部５０は、データ処理・制御部５３から送信された入力切替固定信号に基づいて、電気信号を送信したノブ側の入力インタフェースに入力を固定する。
【００５２】
図６は、第２の実施の形態に係るドア用電界通信装置の機能ブロック（第２実施例）を示す機能ブロック図である。このドア用電界通信装置は、外側ノブ用の増幅・フィルタ・信号検出部６０と、内側ノブ用の増幅・フィルタ・信号検出部６１と、入力切替・復調部６２と、データ処理・制御部５３とを備えた構成である。なお、このドア用電界通信装置は、図３を用いて説明した電界検出光学部４５及びドアロック機構制御部５４を備えているが、ここでは各機能の説明や図示は省略するものとする。
【００５３】
最初に、外側ノブ用の増幅・フィルタ・信号検出部６０は、外側ノブ１を介して送信された電気信号が入力された場合に、この電気信号を所望の大きさに増幅し、帯域制限により不要な雑音を除去して、波形整形等の信号処理を行った後に入力切替・復調部６２に送信すると共に、外側ノブを介して電気信号が送信されてきたことを示す検出信号を出力する。同様に、内側ノブ用の増幅・フィルタ・信号検出部６１は、内側ノブ２１を介して送信された電気信号が入力された場合に、この電気信号を所望の大きさに増幅し、帯域制限により不要な雑音を除去して、波形整形等の信号処理を行った後に入力切替・復調部６２に送信すると共に、外側ノブを介して電気信号が送信されてきたことを示す検出信号を出力する。
【００５４】
次に、入力切替・復調部６２は、外側ノブ用の増幅・フィルタ・信号検出部６０から出力された検出信号及び電気信号と、内側ノブ用の増幅・フィルタ・信号検出部６１から出力された検出信号及び電気信号を入力する。ここで、各検出信号が異なるタイミングで入力された場合には、より早いタイミングで入力された検出信号を出力した信号検出部に入力を切り替えると共に、該信号検出部から入力した電気信号を送信データに復調して出力する。また、切り替えた信号検出部に電気信号を伝達したノブが外側又は内側であるかを判別する判別信号を出力する。一方、各検出信号が同じタイミングで入力された場合には、各検出手段に電気信号を伝達したノブが外側及び内側であることを示す混信信号を出力する。
【００５５】
最後に、データ処理・制御部５３は、入力切替・復調部６２から出力した判別信号及び送信データ、若しくは、混信信号を認証装置に送信する。
【００５６】
図７は、第２の実施の形態に係るドア用電界通信装置の機能ブロック（第３実施例）を示す機能ブロック図である。このドア用電界通信装置は、図６を用いて説明したドア用電界通信装置に、外側ノブ用の送受切替スイッチ６４と、内側ノブ用の送受切替スイッチ６５と、送信部６６とを更に備えた構成である。
【００５７】
外側ノブ用の送受切替スイッチ６４は、固定用軸受プレート１４及び増幅・フィルタ・信号検出部６０の間に接続され、外側ノブ１を介する電気信号の送信及び受信を切り替えること可能となるようになっている。また、内側ノブ用の送受切替スイッチ６５は、内側ノブ２１の支持台２０及び増幅・フィルタ・信号検出部６１の間に接続され、内側ノブ２１を介する電気信号の送信及び受信を切り替えることが可能となるようになっている。
【００５８】
データ処理・制御部５３は、入力切替・復調部６２から出力された混信信号が入力された場合に、送受切替スイッチ６４及び送受切替スイッチ６５を送信側に切り替える送受切替信号を出力する。また、混信したことを人体用電界通信装置を所持した人間に通知する混信データを出力する。
【００５９】
送信部６６は、送受切替スイッチ６４及び送受切替スイッチ６５を介して、データ処理・制御部５３から出力された混信データを外側ノブ１及び内側ノブ２１に夫々伝達する。
【００６０】
本実施の形態によれば、内側ノブ固定部２２が絶縁性であって、ドア用電界通信装置１００が、固定用軸受プレート１４及び内側ノブ２１の支持台２０に電気的に夫々接続され、電極から電界を電界伝達媒体に誘起して電界通信を行うことが可能な人体用電界通信装置を所持する人間が外側ノブ１に接触することにより、外側ノブ１と支持台２と固定用軸３ａ，３ｂと固定用軸受プレート１４とを介して伝達されて送信されてくる電気信号、及び／又は、このような人間が内側ノブに接触することにより、内側ノブ２１と内側ノブ２１の支持台２０とを介して伝達されて送信されてくる電気信号を夫々受信するため、この人体用電界通信装置を所持した人間がいずれのノブに接触したかの把握や、入室しようとしているか退出しているかの方向性を把握することができる。
【００６１】
図８は、静電気対策を施した電界通信用ドアの構成の一部を示す構成図である。この電界通信用ドアは、第２の実施の形態で説明した電界通信用ドアに、固定用軸受プレート１４及びドア用電界通信装置１００の間に接続された外側ドア用の放電部２００と、内側ノブ２１の支持台２０及びドア用電界通信装置１００の間に接続された内側ドア用の放電部２０１とを更に備えた構成である。
【００６２】
外側ドア用の放電部２００は、外側ノブ１を介して伝達された電気信号の周波数が人間に帯電した静電気の信号周波数と同じ場合に、この電気信号をドアロック機構８に放電し、それ以外の周波数の場合、言い換えれば、人体用電界通信装置から送信された信号周波数の場合には、その電気信号をドア用電界通信装置１００に送信する。同様に、内側ドア用の放電部２０１は、内側ノブ２１を介して伝達された電気信号の周波数が人間に帯電した静電気の信号周波数と同じ場合に、この電気信号をドアロック機構８に放電し、それ以外の周波数の場合、言い換えれば、人体用電界通信装置から送信された信号周波数の場合には、その電気信号をドア用電界通信装置１００に送信する。このような放電部２００，２０１をドア用電界通信装置１００の前段に設けることにより、静電気信号の入力によってドア用電界通信装置１００の誤作動や破壊を防止することができる。
【００６３】
また、図８に示す各放電部に代えて、図９に示すように、固定用軸受プレート１４及びドアロック機構８の間でドア用電界通信装置１００に並列接続された外側ドア用の静電気放電用インピーダンス３００と、内側ノブ２１の支持台２０及びドアロック機構８の間でドア用に電界通信装置１００に並列接続された内側ドア用の静電気放電用インピーダンス３０１を用いてもよい。
【００６４】
外側ドア用の静電気放電用インピーダンス３００は、外側ノブ１を介して伝達された電気信号の周波数が、所定の閾値よりも小さい場合に低インピーダンスとして作用し、この閾値よりも大きい場合に高インピーダンスとして作用する。同様に、内側ドア用の静電気放電用インピーダンス３０１は、内側ノブ２１を介して伝達された電気信号の周波数が、所定の閾値よりも小さい場合に低インピーダンスとして作用し、この閾値よりも大きい場合に高インピーダンスとして作用する。このような静電気放電用インピーダンス３００，３０１としては、例えばインダクタを用いて実現することが可能である。このような静電気放電用インピーダンス３００，３０１をドア用電界通信装置１００の前段に設けることにより、静電気信号の入力によってドア用電界通信装置１００の誤作動や破壊を防止することができる。
【図面の簡単な説明】
【００６５】
【図１】第１の実施の形態に係る電界通信用ドアノブの全体構成を示す斜視図である。
【図２】図１に示す電界通信用ドアノブの上面を示す上面図である。
【図３】第１の実施の形態に係るドア用電界通信装置の機能ブロックを示す機能ブロック図である。
【図４】第２の実施の形態に係る電界通信用ドアノブの上面を示す上面図である。
【図５】第２の実施の形態に係るドア用電界通信装置の機能ブロック（第１実施例）を示す機能ブロック図である。
【図６】第２の実施の形態に係るドア用電界通信装置の機能ブロック（第２実施例）を示す機能ブロック図である。
【図７】第２の実施の形態に係るドア用電界通信装置の機能ブロック（第３実施例）を示す機能ブロック図である。
【図８】静電気対策を施した電界通信用ドアの構成の一部を示す構成図である。
【図９】静電気対策を施した電界通信用ドアの構成の一部を示す構成図である。
【符号の説明】
【００６６】
１…外側ノブ
２…支持台
３ａ，３ｂ…固定用軸
４…外側ノブ用スピンドル
５ａ，５ｂ…絶縁部材
６…絶縁部材
７…絶縁シート
８…ドアロック機構
９…ラッチ
１０…デッドボルト
１１ａ，１１ｂ…固定用穴
１２…制御用穴
１３…絶縁シート
１４…固定用軸受プレート
１５…内側ノブ固定受部
１６ａ，１６ｂ…ネジ
１７…絶縁シート
１８…絶縁部材
１９…内側ノブ用スピンドル
２０…支持台
２１…内側ノブ
２２…内側ノブ固定部
４５…電界検出光学部
５０…入力切替部
５１…増幅・フィルタ部
５２…復調・信号検出部
５３…データ処理・制御部
５４…ドアロック機構制御部
６０…増幅・フィルタ・信号検出部
６１…増幅・フィルタ・信号検出部
６２…入力切替・復調部
６４…送受切替スイッチ
６５…送受切替スイッチ
６６…送信部
１００…ドア用電界通信装置
２００，２０１…放電部
３００，３０１…静電気放電用インピーダンス
【図１】
0004776658.tif 000002
【図２】
0004776658.tif 000003
【図３】
0004776658.tif 000004
【図４】
0004776658.tif 000005
【図５】
0004776658.tif 000006
【図６】
0004776658.tif 000007
【図７】
0004776658.tif 000008
【図８】
0004776658.tif 000009
【図９】
0004776658.tif 000010